(57)【要約】  【課題】  監視カメラ装置では、カメラ部、センサ等には、電源の供給あるいはそれらの制御のための制御線等の同軸ケーブルが設けられているが、ケーブルが捩じれたり、伸縮が繰返されるため、断線の原因になったり、接続不良の原因となっている。  【解決手段】  第1の信号処理回路部を有するカメラ部と、上記カメラ部を設置する固定部と、上記カメラ部の視野範囲を変化させる駆動部と、上記カメラ部に設けられ、上記カメラ部の視野範囲を適宜変化させるために上記固定部に回転自在に取りつけられる回転軸と、上記固定部に設けられた第1の電気回路部および上記第1の信号処理回路部と上記第1の電気回路部を結合する第１の配線ケーブルからなり、上記回転軸は、少なくとも一部分を中空とし、上記中空部の少なくとも一部分に上記第１の配線ケーブルを通すスリット部を設け、上記第１の信号処理回路部からの上記第１の配線ケーブルは、上記回転軸の中空部と上記スリット部を経由して上記第１の電気回路部に結合されるように構成される。【選択図】  図１
2005311834.tif 000002
【特許請求の範囲】
【請求項１】
第1の信号処理回路部を有するカメラ部と、上記カメラ部を設置する固定部と、上記カメラ部の視野範囲を変化させる駆動部と、上記カメラ部に設けられ、上記カメラ部の視野範囲を適宜変化させるために上記固定部に回転自在に取りつけられる回転軸と、上記固定部に設けられた第1の電気回路部および上記第1の信号処理回路部と上記第1の電気回路部を結合する第１の配線ケーブルからなり、上記回転軸は、少なくとも一部分を中空とし、上記中空部の少なくとも一部分に上記第１の配線ケーブルを通すスリット部を設け、上記第１の信号処理回路部からの上記第１の配線ケーブルは、上記回転軸の中空部と上記スリット部を経由して上記第１の電気回路部に結合されることを特徴とする監視カメラ装置。
【請求項２】
請求項１記載の監視カメラ装置において、更に、第２の信号処理回路部を有するセンサを上記回転軸に装着し、上記第２の信号処理回路部と上記第1の電気回路部を結合する第２の配線ケーブルを具え、上記第２の信号処理回路部からの上記第２の配線ケーブルは、上記回転軸の中空部と上記スリット部を経由して上記第１の電気回路部に結合されることを特徴とする監視カメラ装置。
【発明の詳細な説明】
【技術分野】
【０００１】
本発明は、監視カメラ装置に関し、特に、カメラの回転機構に適合させた配線を可能にする監視カメラ装置に関するものである。
【背景技術】
【０００２】
撮像装置を用いた監視カメラ装置は、不特定多数の人が出入りする、例えば、公共の建物や場所、病院、銀行、スーパ等の店舗、あるいは、ダム、基地、飛行場等の立入り禁止区域等への侵入者あるいは侵入物体（以下侵入物体と称す）を監視する目的で、数多く用いられている。このような監視カメラ装置を遠隔監視システムに導入すると、監視領域を画像により容易に確認できるので、状況に応じて適確かつ敏速に対応でき、質の高い警報監視システムを作ることができる。
【０００３】
しかしながらこのような監視カメラ装置は、長時間しかも遠隔制御により監視対象場所を適確に監視するためには、装置の信頼性が要求される。特に、セキュリテイの高い銀行、基地、飛行場といった場所、あるいはダムや港湾のような高所あるいは遠方に監視装置を設置するような場合には、メンテナンスも大変であり、できるだけ保守点検の手間の少ない監視カメラ装置が要求されている。
【０００４】
また、監視カメラ装置は、監視という性格上、場所によっては広範囲な監視範囲を設定され、この目的のために監視カメラ装置の視野範囲を広範囲に変化させるためにカメラ自体をパン方向（水平方向）、チルト方向（仰角方向）に駆動する駆動装置、即ち、雲台に設置されている。そして、カメラの視野範囲は、約４０°であり、雲台は、例えば、パン方向には、０°〜２２０°、また、チルト方向には、０°〜１８０°の範囲で駆動され、広範囲な監視範囲をカバーするように常に視野範囲を変化させて侵入物体を監視するように動作する。
【０００５】
一方、監視カメラ装置は、被写体を撮像するカメラ部の他に監視対象場所、あるいは監視対象物を撮像するための照明装置および侵入物体を検知するためのセンサ部、例えば、マイクのような集音装置（一般的には、音センサ）、光センサ（赤外線センサ）等が具えられ、これらが駆動装置により駆動される。しかしながらカメラ部、音センサ、光センサ等には、電源の供給あるいはそれらの制御のための制御線等の同軸ケーブルを設けるのが普通であるが、この同軸ケーブルは、構造上、固定部と可動部に接続されるため、同軸ケーブルの一端が固定部に、他端が可動部に接続されることとなる。例えば、カメラ部や集音装置や照明装置は、一体に動くようにカメラ部と共に回転する回転軸に集音装置や照明装置等を一体化させている。しかし、カメラ部、集音装置、照明装置等の配線ケーブルは、カメラ部と共に回転しない固定部の基板に配線されるために、前述したような頻繁に視野を変化させる必要のある監視カメラ装置では、配線ケーブルが捩じれたり、伸縮が繰返されることとなり、断線の原因になったり、接続不良の原因となっている。その結果、信頼性の要求される監視カメラ装置でありながら短期間に信頼性が低下するという問題が発生し、早急な解決が望まれている。また、このような問題を解決するためにカメラ部の視野範囲を制限したりする必要があった。
【０００６】
【特許文献１】特に発見されていない。
【発明の開示】
【発明が解決しようとする課題】
【０００７】
監視カメラ装置は、被写体を撮像するカメラ部の他に照明装置および侵入物体を検知するためのセンサ部等が具えられ、これらが駆動装置により駆動される。しかしながらカメラ部、照明装置、センサ部等には、電源の供給あるいはそれらの制御のための制御線等の同軸ケーブルを設けるのが普通であるが、この同軸ケーブルは、構造上、固定部と可動部に接続されるため、同軸ケーブルの一端が固定部に、他端が可動部に接続される。結果として、配線ケーブルが捩じれたり、伸縮が繰返されることとなり、断線の原因になったり、接続不良の原因となり、信頼性の低い監視カメラ装置となる。
【０００８】
本発明の目的は、カメラ部の駆動に対しても信頼性の高い監視カメラ装置を提供することである。
【０００９】
本発明の他の目的は、カメラの回転機構に適合させた配線を可能にする監視カメラ装置を提供することである。
【課題を解決するための手段】
【００１０】
本発明の監視カメラ装置は、第1の信号処理回路部を有するカメラ部と、上記カメラ部を設置する固定部と、上記カメラ部の視野範囲を変化させる駆動部と、上記カメラ部に設けられ、上記カメラ部の視野範囲を適宜変化させるために上記固定部に回転自在に取りつけられる回転軸と、上記固定部に設けられた第1の電気回路部および上記第1の信号処理回路部と上記第1の電気回路部を結合する第１の配線ケーブルからなり、上記回転軸は、少なくとも一部分を中空とし、上記中空部の少なくとも一部分に上記第１の配線ケーブルを通すスリット部を設け、上記第１の信号処理回路部からの上記第１の配線ケーブルは、上記回転軸の中空部と上記スリット部を経由して上記第１の電気回路部に結合されるように構成される。
【００１１】
また、本発明の監視カメラ装置において、上記第１の配線ケーブルは、上記回転軸の上記スリット部を経由した後、少なくとも上記回転軸を一周するコイル状部分を設けたものである。
【００１２】
また、本発明の監視カメラ装置において、更に、第２の信号処理回路部を有するセンサを上記回転軸に装着し、上記第２の信号処理回路部と上記第1の電気回路部を結合する第２の配線ケーブルを具え、上記第２の信号処理回路部からの上記第２の配線ケーブルは、上記回転軸の中空部と上記スリット部を経由して上記第１の電気回路部に結合されるように構成される。
【００１３】
また、本発明の監視カメラ装置において、上記第２の配線ケーブルは、上記回転軸の上記スリット部を経由した後、少なくとも上記回転軸を一周するコイル状部分を設けたものである。
【発明の効果】
【００１４】
以上説明したように、本発明によれば、可動側と固定側とを繋ぐ配線ケーブルを回転軸の内部を利用して配線することにより、配線ケーブルが捩じれたり、伸縮が繰返される度合いを極力減少することが可能となる。従って、断線の原因や接続不良の原因がなく、信頼性の高い監視カメラ装置の実現が可能となる。また、カメラ部の視野範囲を制限したりする必要もなくなる。さらに、信頼性が向上することにより保守、点検の頻度が減少するという特徴がある。
【発明を実施するための最良の形態】
【００１５】
本発明の一実施例を図１および図２を用いて説明する。図１は、本発明の一実施例の概略構成（構成の一部分は省略してある。）の斜視図である。図２は、図１に示す実施例の正面図を示す。図１および図２において、１０１は、撮像部および映像信号処理部等を内蔵したカメラ部、１０２は、被写体からの入射光を撮像部に入射させるための光学系、１０３は、カメラ部１０１を保持する筐体、１０４は、筐体１０３をパン方向（水平方向）に駆動する駆動部１０５に結合するための支持部材、１０６は、カメラ部１０１をチルト方向（仰角方向）に駆動するための駆動部である。なお、図１、図２に示すカメラ装置は、例えば、パン方向（水平方向）の駆動部１０５を部屋の天井に取り付ける場合や高所からの監視では、支柱のうえに取り付ける等の設置方法が考えられる。
【００１６】
１０７は、カメラ部１０１とチルト方向駆動部１０６とを結合する回転軸であり、チルト方向駆動部１０６の駆動によりカメラ部１０１は、例えば、仰角方向に０°〜１８０°の範囲で視野を変化させるものである。この回転軸１０７は、少なくとも一部分は中空に形成され、その中空部分に間隙部（スリット部）１０８が設けられている。１０９は、例えば、侵入物体を検知するためのセンサ部で回転軸１０７に固定され、カメラ部１０１の回転と一体に回転するように構成されている。なお、センサ部１０９は、例えば、マイクのような集音装置（一般的には、音センサ）であったり、光センサ（赤外線センサ）等であってもよい。また、被写体を照明する照明装置で置き換えることもできる。あるいは、センサ部、照明装置の両方を回転軸に取付けることもできる。１１０は、電気回路基板で、カメラ部１０１やセンサ１０９からの電気信号を処理する処理回路である。１１１および１１２は、電源の供給あるいは信号線の伝送のための配線ケーブルである。なお、図１では、回転軸１０７の詳細が見えるように、例えば、センサ１０９は、回転軸１０７から離した状態の斜視図が描かれている。また、図１では、カメラ部１０１からの配線ケーブルは、図示を省略してある。
【００１７】
図３は、回転軸１０７の具体的な構成を説明するための一部分の拡大図である。図３において、回転軸１０７は、中心軸３０１を軸としてカメラ部１０１が仰角方向に回転するように構成されている。この回転軸１０７には、中心軸３０１に平行して間隙部（スリット部）１０８が設けられ、中空部３０２が内部に形成されている。そして、配線ケーブル１１２が中空部３０２を通り、間隙部１０８から外部に取出す構成になっている。なお、配線ケーブル１１１は、省略してある。
【００１８】
図４は、図２における部分Ｐの拡大図を示すもので、図１および図２と同じものには、同じ符号が付されている。４０１は、例えば、センサ部１０９に内蔵された回路基板で、センサ部１０９で感知した信号を処理し、処理された電気信号が配線ケーブル１１２を介して外部の電気回路基板１１０に伝送される。この場合、配線１１２ケーブルは、回路基板４０１から回転軸１０７の中空部３０２を通る配線ケーブル１１２−１と、中空部３０２からスリット部１０８を通り、コイル状に形成された配線ケーブル１１２−２およびコイル形状の配線ケーブル１１２−２から外部の電気回路基板１１０に結合される配線ケーブル１１２−３で構成されている。このような配線構造で、駆動される部材に取りつけられた回路基板４０１からの電気信号を支持部材（固定部）１０４に固定された電気回路基板１１０に接続すると、カメラ部１０１の視野範囲の頻繁な変化、即ち、配線ケーブル１１２の捩れや、伸縮の繰返しに対しても配線ケーブル１１２が断線したり、接続不良になる等の割合が極めて少なくなり、信頼性の高い監視カメラ装置を実現することができる。また、配線ケーブルそのものも回転軸１０７の中空部分３０２を通す構造であるので、従来のように外部に配線を這わせるものに比べて配線の仕方がコンパクトとなり、配線上の障害も少なく、また美的感覚も優れた商品価値の高い監視カメラ装置を実現できる効果がある。
【００１９】
同様に、カメラ部１０１の内部に設けられた信号処理回路基板４０２から外部の電気回路基板１１０に信号を伝送する場合、配線ケーブル１１１は、回路基板４０２から回転軸１０７の中空部３０２を通る配線ケーブル１１１−１と、中空部３０２からスリット部１０８を通り、コイル状に形成された配線ケーブル１１１−２およびコイル形状の配線ケーブル１１１−２から外部の電気回路基板１１０に結合される配線ケーブル１１１−３で構成されている。従って、配線ケーブル１１１の捩れや、伸縮の繰返しに対しても配線ケーブル１１１が断線したり、接続不良になる等の割合が極めて少なくなり、信頼性の高い監視カメラ装置を実現することができる。更に、配線ケーブル１１１は、回転軸１０７の中空部分３０２を通る構造であるので、カメラ部１０１の筐体１０３を跨ぐ必要もないので、極めて優れた配線構造であるといえる。なお、上記実施例では、配線ケーブル１１１および１１２は、回転軸１０７に約１回程度コイル状に巻きつけた実施例を説明したが、これに限られるものではなく、２回以上、数回巻きつけることも可能であり、また、その方が回転変動に対する配線ケーブルの捩れや、伸び縮みに対する抗力が向上することは言うまでもない。
【００２０】
以上、本発明について詳細に説明したが、本発明は、ここに記載された監視カメラ装置の実施例に限定されるものではなく、上記以外の回転軸を有するような装置で、稼動部と固定部とを配線で結合する場合の装置に広く適応することが出来ることは、言うまでも無い。
【図面の簡単な説明】
【００２１】
【図１】本発明の一実施例の概略構成を示す斜視図である。
【図２】図１で示す本発明の一実施例の正面図を示す。
【図３】本発明の回転軸部分の拡大図を示す。
【図４】図２に示す部分Ｐの拡大図を示す。
【符号の説明】
【００２２】
１０１：カメラ部、１０２：光学系、１０３：筐体、１０４：支持部材、１０５：パン方向の駆動部１０５、１０６：チルト方向の駆動部、１０７：回転軸、１０８：間隙部、１０９：センサ、１１０、４０１：電気回路基板、１１１、１１２：配線、３０１：回転軸の中心線、３０２：中空部、４０２：信号処理回路基板。
【図１】
2005311834.tif 000003
【図２】
2005311834.tif 000004
【図３】
2005311834.tif 000005
【図４】
2005311834.tif 000006